(57)【特許請求の範囲】
【請求項１】
梱包する長尺物Ａよりも長く、表面紙３１とクッション紙３２を備えた段ボール３０に、幅方向一対の内側折り目３３と幅方向一対の外側折り目３４を長手方向に連続して形成すると共に、その段ボール３０のクッション紙３２における長手方向両端部分を押しつぶし、
前述のように加工した段ボール３０の長手方向中央部における一対の内側折り目３３間に長尺物Ａを置き、クッション紙３２の押しつぶしされた長手方向両端部分を長尺物Ａの長手方向両端面よりも突出させ、
前記段ボール３０を一対の内側折り目３３、一対の外側折り目３４から順次折り曲げて長尺物Ａの両側面、上面に接して覆うと共に、クッション紙３２を押しつぶした長手方向両端部分を筒形状として長尺物Ａの長手方向両端面よりも突出させ、
この筒形状の突出部を扁平形状とし、この扁平形状の突出部を長手方向に複数回巻きつけて長尺物の長手方向両端面を覆い、この巻きつけた部分が巻き戻らないように固着したことを特徴とする長尺物の梱包方法。
【請求項２】
前記段ボール３０の内側折り目３３と外側折り目３４との間における長手方向両端部分に端部折り目３５をそれぞれ形成し、
段ボール３０を折り曲げて形成した筒形状の突出部を、各端部折り目３５に沿って横向Ｖ字状に折り曲げて扁平な形状とし、
この扁平な形状の突出部を、長手方向に複数回巻きつけるようにした請求項１記載の長尺物の梱包方法。
【発明の詳細な説明】
【０００１】
【発明の属する技術分野】
本発明は、窓額縁を形成する額縁材、サッシ枠を形成するサッシ枠材などの長尺物を梱包する方法に関する。
【０００２】
【従来の技術】
サイディング材などの長尺物を梱包する方法としては種々の方法が知られている。
例えば、特開平７−９６９０９号公報に示す長尺物の梱包方法が知られている。
この梱包方法は、図１５（ａ）に示すように所定の長さに切断した片面段ボール１に折り目２をつける。この片面段ボール１の上に長尺物３を載置し、図１５（ｂ），（ｃ）に示すように折り目２から順次折り曲げて長尺物２の下面、上面、両側面を片面段ボール１で覆う。
この後に、片面段ボール１の長尺物３の長手方向両端面から突出した部分１ａ，１ａを図１５（ｄ）に示すように折り畳んで長尺物２の長手方向両端面を覆う。
最後に、図１５（ｄ）に示すように片面段ボール１の上面部分と端面折り畳み部分にテープ４を貼着する。
【０００３】
【発明が解決しようとする課題】
前述の梱包方法は片面段ボール１の長尺物３から突出した両端部分１ａ，１ａを折り畳んで長尺物３の長手方向両端面を覆うので、その片面段ボール１の折り畳み作業が面倒で時間がかかる。
このために、長尺物を梱包する作業効率が悪い。
【０００４】
特に、片面段ボール１は表面紙（表ライナ）に凹凸状の成形されたクッション紙（中芯）を貼着したものであり、そのクッション紙のために折り畳みづらい。
【０００５】
また、図１５（ｄ）に示す梱包長尺物５は、長尺物３の長手方向両端面が一枚の片面段ボール１（部分的には重ね合った２枚の片面段ボール１）で覆われているので、梱包長尺物５を運搬する際に長尺物１の長手方向両端面を損傷する恐れがある。
特に、窓額縁を形成する額縁材は端面を４５度の尖端形状とすることがあるので、梱包長尺物５を縦に置いた時などに長尺物１の端面を損傷し易い。
【０００６】
そこで、本発明は前述の課題を解決できるようにした長尺物の梱包方法を提供することを目的とする。
【０００７】
【課題を解決するための手段】
第１の発明は、梱包する長尺物Ａよりも長く、表面紙３１とクッション紙３２を備えた段ボール３０に、幅方向一対の内側折り目３３と幅方向一対の外側折り目３４を長手方向に連続して形成すると共に、その段ボール３０のクッション紙３２における長手方向両端部分を押しつぶし、
前述のように加工した段ボール３０の長手方向中央部における一対の内側折り目３３間に長尺物Ａを置き、クッション紙３２の押しつぶしされた長手方向両端部分を長尺物Ａの長手方向両端面よりも突出させ、
前記段ボール３０を一対の内側折り目３３、一対の外側折り目３４から順次折り曲げて長尺物Ａの両側面、上面に接して覆うと共に、クッション紙３２を押しつぶした長手方向両端部分を筒形状として長尺物Ａの長手方向両端面よりも突出させ、
この筒形状の突出部を扁平形状とし、この扁平形状の突出部を長手方向に複数回巻きつけて長尺物の長手方向両端面を覆い、この巻きつけた部分が巻き戻らないように固着したことを特徴とする長尺物の梱包方法である。
【０００８】
第２の発明は、第１の発明において、前記段ボール３０の内側折り目３３と外側折り目３４との間における長手方向両端部分に端部折り目３５をそれぞれ形成し、
段ボール３０を折り曲げて形成した筒形状の突出部を、各端部折り目３５に沿って横向Ｖ字状に折り曲げて扁平な形状とし、
この扁平な形状の突出部を、長手方向に複数回巻きつけるようにした請求項１記載の長尺物の梱包方法である。
【０００９】
【作用】
第１の発明によれば、表面紙３１とクッション紙３２を備えた段ボール３０で長尺物の下面、両側面、上面を覆い、その筒形状の突出部を扁平形状とし、この扁平形状の突出部を長手方向に複数回巻きつけて巻き戻らないように固着することで長尺物を梱包するので、長尺物Ａの長手方向両端面は、長手方向に複数回巻きつけられた段ボール３０で覆われているので、その長尺物Ａの長手方向両端面を覆う部分がクッションの役目をする。これによって運搬する際に長尺物の長手方向両端面が損傷することがない。
また、段ボール３０を内側折り目３３、外側折り目３４で容易に折り曲げできる。
段ボール３０の筒形状の突出部を形成する部分のクッション紙３２は押しつぶされているので、その筒形状の突出部を容易に扁平形状にできると共に、容易に長手方向に巻きつけできる。
これらが相俟って長尺物を段ボール３０で梱包する作業効率が向上する。
【００１０】
第２の発明によれば、段ボール３０の筒形状の突出部を、端部折り目３５に沿って横向Ｖ字状に折り曲げて扁平な形状とするので、容易に扁平な形状とすることができる。
【００１７】
【発明の実施の形態】
図１は長尺物梱包装置の概略正面図、図２は長尺物梱包装置の概略平面図である。
第１搬送路１０の搬送方向両側にロール状段ボール支持機１１、段ボール送り機１２、切断機１３、折り目付け機１４、端部折り目付け機１５、端部プレス機１６がそれぞれ設置してある。これによって段ボール加工部を形成している。
前記第１搬送路１０と並行に第２搬送路１７が設置してある。
この第２搬送路１７の第１搬送路１０と隣接した一側部には複数の折り曲げ機１８が搬送方向に間隔を置いて設置してある。
前記第２搬送路１７の他側部には一対の端部曲げ機１９と一対の端部巻取り機２０が搬送方向に間隔を置いてそれぞれ設置してある。これによって長尺物梱包部を形成している。
【００１８】
前記第１・第２搬送路１０，１７は複数の送りローラを備えたもの、ベルトコンベヤ等である。
前記ロール状段ボール支持機１１はロール状に巻装した段ボール３０を回転自在に支承する。
前記段ボール３０は図３に示すように、表面紙３１に凹凸状に成形されたクッション紙３２を接着した片面段ボールである。
前記段ボール送り機１２はフレーム１２ａに一対の送りローラ１２ｂ，１２ｂを回転自在に支承した形状で、その一対の送りローラ１２ｂ，１２ｂを回転駆動して段ボール３０を送る。なお、一方の送りローラ１２ｂは上下方向に移動する。
【００１９】
前記切断機１３はフレーム１３ａに長尺な固定刃１３ｂと長尺な可動刃１３ｃを取付けたもので、可動刃１３ｂを上下動して段ボール３０を切断する。
前記折り目付け機１４はフレーム１４ａに４つの下部折り目付けローラ１４ｂと４つの上部折り目付けローラ１４ｃを設けたもので、その上部折り目付けローラ１４ｃは上下に移動する。また、４つの下部折り目付けローラ１４ｂの間隔及び４つの上部折り目付けローラ１４ｃの間隔は調整できる。
【００２０】
前記端部折り目付け機１５は、フレーム１５ａに左右一対の下部材１５ｂと、左右一対の上部材１５ｃを設けたもので、その下部材１５ｂ、上部材１５ｃはＹ字状の押し部を有し、上部材１５ｃが上下動する。
前記左右の下部材１５ｂの間隔及び左右の上部材１５ｃの間隔は調整できる。
前記端部プレス１６はフレーム１６ａに下ローラ１６ｂと上ローラ１６ｃを設けたもので、その上ローラ１６ｃは上下に移動する。
【００２１】
次に段ボール加工部による段ボールの加工を説明する。
第１搬送路１０の搬送方向一側の段ボール送り機１２の一対の送りローラ１２ｂ，１２ｂを回転し、ロール状段ボール支持機１１で支持したロール状段ボールを繰り出して段ボール３０を送り出す。
この送りローラ１２ｂの回転数を検出し、その回転数に基づいて段ボール３０の送り長さを演算する。
段ボール３０の送り長さが所定の長さとなったら、切断機１３の可動刃１３ｃを下方に移動して段ボール３０を所定長さに切断する。前記所定の長さとは長尺物よりも設定長さだけ長い長さである。
【００２２】
折り目付け機１４の下部折り目付けローラ１４ｂの上まで段ボール３０を送り、上部折り目付けローラ１４ｃを下方に移動して段ボール３０に押しつける。この状態で各折り目付けローラを回転すると共に、段ボール３０を搬送して折り目をつける。
この折り目は図４に示すように、幅方向一対の内側折り目３３，３３と、幅方向一対の外側折り目３４，３４の４本で、その一対の内側折り目３３の間隔はＬ−１は長尺物Ａの幅Ｂと略同一で、内側折り目３３と外側折り目３４の間隔Ｌ−２は長尺物Ａの厚さＣと略同一である。
長尺物Ａの幅Ｂ、厚さＣが異なる場合には下部折り目付けローラ１４ｂの間隔、上部折り目付けローラ１４ｃの間隔をそれぞれ調整する。
【００２３】
折り目をつけた段ボール３０を搬送し、その段ボール３０の長手方向の一端部を端部折り目付け機１５の下部材１５ｂ上に位置決めする。上部材１５ｃを下方に移動して段ボール３０の一端部に押しつけ、図５に示すように段ボール３０の長手方向一端部分における幅方向両側に端部折り目３５をそれぞれつける。
前記端部折り目３５は内側折り目３３と外側折り目３４との間の部分につけられる。この端部折り目３５は内側折り目３３と外側折り目３４の間における幅方向中央部の直線部３５ａと、この直線部３５ａの長手方向端部と連続し内側折り目３３、外側折り目３４と連続したＶ字状部３５ｂでＹ字状である。なお、Ｖ字状部３５ｂは内側折り目３３、外側折り目３４と連続しなくとも良い。
【００２４】
端部折り目３５をつけた段ボール３０を搬送して端部プレス機１６の下ローラ１６ｂ上に長手方向一端部分を位置決めする。上ローラ１６ｃを下方に移動して段ボール３０の長手方向一端部分に押しつけ、ローラを回転して段ボール３０の長手方向一端部分を図６に示すように押しつぶす。
つまり、段ボール３０のクッション紙３２を押しつぶす。
【００２５】
段ボール３０を第１搬送路１０の他側に向けて搬送し、その段ボール３０の長手方向の他端部分を、第１搬送路１０の搬送方向他側に設けた端部折り目付け機１５、端部プレス機１６で前述と同様に端部折り目３５をつけると共に、押しつぶしする。
【００２６】
以上によって段ボールの加工は終了し、加工終了した段ボール３０は図７に示すように、一対の内側折り目３３と一対の外側折り目３４を長手方向に連続して有し、長手方向両端部分にＹ字状の端部折り目３５をそれぞれ有し、長手方向両端部分がそれぞれ押しつぶしされた形状となっている。
【００２７】
図２に示すように、第１搬送路１０の他側に設けたロール状段ボール支持機１１には幅広い段ボール３０が回転自在に支承してあり、幅広い長尺物を梱包する場合に送り出して使用する。
【００２８】
次に長尺物Ａを加工した段ボール３０で梱包する方法を説明する。
前述のようにして加工終了した段ボール３０を第１搬送部１０から第２搬送部１７の搬送方向一側部に移載する。
図８に示すように、段ボール３０の長手方向中央部における一対の内側折り目３３間に長尺物Ａを置く。段ボール３０の押しつぶしされた両端部分は長尺物Ａの長手方向両端面よりも突出し、長尺物Ａの全長が段ボール３０の凹凸形状のままであるクッション材３２上に接する。段ボール３０の一対の内側折り目３３が長尺物Ａの幅方向両側面と合致する。
【００２９】
前述の状態で折り曲げ機１８によって段ボール３０の幅方向両側部を図９に示すように一対の内側折り目３３から上向きにそれぞれ折り曲げ、長尺物Ａの幅方向両側面に接して両側面を覆う。
この後に段ボール３０の幅方向両側部を図１０に示すように一対の外側折り目３４から横向きにそれぞれ折り曲げ、長尺物Ａの上面に接すると共に、幅方向の一側部と他側部を重ね合わせ、上面を覆う。
そして、段ボール３０の幅方向の一側部と他側部の重ね合わせ部を固着する。例えばテープ３６を貼着して固着する。固着するには接着剤、ホットメルト、結束バンドなどを用いても良い。
【００３０】
これによって、長尺物Ａは図１１に示すように下面、両側面、上面が段ボール３０で覆われる。この段ボール３０の長手方向両端部分は長尺物Ａの長手方向両端面よりも突出し、その突出した部分は断面矩形の筒形状である。
【００３１】
下面と両側面と上面を段ボール３０で覆った長尺物Ａを第２搬送路１７の他側部に向けて搬送して一方の端部曲げ機１９に位置合わせする。
端部曲げ機１９は図１１に示すように水平方向に往復動する一対の曲げ用プレート１９ａと、上下動する下曲げ部材１９ｂ、上曲げ部材１９ｃを備え、その曲げ用プレート１９ａを段ボール３０の端部折り目３５における直線部３５ａに押しつけて横向Ｕ字状に折り曲げ、下曲げ部材１９ｂを上方に移動すると共に、上曲げ部材１９ｃを下方に移動して図１２に示すように段ボール３０の長尺物Ａの長手方向両端面から突出した部分の両側縦面を端部折り目３５に沿って横向Ｖ字状に折り曲げ、段ボール３０の長尺物Ａの長手方向両端面から突出した部分を扁平形状とする。
この時、段ボール３０の長手方向両端部分は押しつぶしされているので、折り曲げ易い。
【００３２】
更に第２搬送路１７の他側部に向けて搬送して端部巻取り機２０に位置決めする。
この端部巻取り機２０は図１２に示すように水平方向に往復動すると共に、回転動する一対の把持片２０ａを備えている。
前記一対の把持片２０ａで段ボール３０の長手方向一端部分を上下方向に把持し、回転させることで図１３に示すように、段ボール３０の長手方向一端部分を長手方向に複数回巻きつけて長尺物Ａの長手方向一端面を覆う。
そして、巻きつけた部分が巻き戻らないように固着する。例えばテープ３６を貼着する。
この段ボール３０の巻きつけの際に、その巻きつける部分は押しつぶされているので、容易に巻きつけできる。
【００３３】
この後に第２搬送路１７の一側部に向けて搬送し、他方の端部曲げ機１９、端部巻き取り機２０で段ボール３０の長手方向他端部分を前述と同様に折り曲げ、巻きつけ、テープ３６で固着する。
【００３４】
梱包した長尺物は図１４に示すように、下面と両側面と上面が段ボール３０で覆われ、長手方向両端面は長手方向に複数回巻きつけられた段ボール３０の長手方向両端部分で覆われる。
このようであるから、長尺物Ａの長手方向両端面を覆う段ボール３０の長手方向両端部分３０ａは長手方向に複数回巻きつけた形状で、クッション性能が大である。したがって、長尺物Ａの長手方向両端面が損傷することがない。
【００３５】
以上の説明では片面段ボールで長尺物を梱包したが、両面段ボールで梱包しても良いし、厚紙、クッション性を有する樹脂シートなどで梱包しても良い。つまり、長尺物を梱包用シートで梱包すれば良い。
また、内側・外側折り目をつける工程と端部折り目をつける工程と、端部を押しつぶす工程の順序は前述に限ることはなく、どのような順序で行っても良い。
【００３６】
【発明の効果】
請求項１に係る発明によれば、表面紙３１とクッション紙３２を備えた段ボール３０で長尺物の下面、両側面、上面を覆い、その筒形状の突出部を扁平形状とし、この扁平形状の突出部を長手方向に複数回巻きつけて巻き戻らないように固着することで長尺物を梱包するので、長尺物Ａの長手方向両端面は、長手方向に複数回巻きつけられた段ボール３０で覆われているので、その長尺物Ａの長手方向両端面を覆う部分がクッションの役目をする。これによって運搬する際に長尺物の長手方向両端面が損傷することがない。
また、段ボール３０を内側折り目３３、外側折り目３４で容易に折り曲げできる。
段ボール３０の筒形状の突出部を形成する部分のクッション紙３２は押しつぶされているので、その筒形状の突出部を容易に扁平形状にできると共に、容易に長手方向に巻きつけできる。
これらが相俟って長尺物を段ボール３０で梱包する作業効率が向上する。
【００３７】
請求項２に係る発明によれば、段ボール３０の筒形状の突出部を、端部折り目３５に沿って横向Ｖ字状に折り曲げて扁平な形状とするので、容易に扁平な形状とすることができる。
【図面の簡単な説明】
【図１】長尺物梱包装置の概略正面図である。
【図２】長尺物梱包装置の概略平面図である。
【図３】段ボールの一部斜視図である。
【図４】折り目をつけた段ボールの一部斜視図である。
【図５】端部折り目をつけた段ボールの一部斜視図である。
【図６】端部を押しつぶした段ボールの一部斜視図である。
【図７】加工終了した段ボールの斜視図である。
【図８】段ボールの上に長尺物を置いた状態の斜視図である。
【図９】段ボールを内側折り目で折り曲げた状態の断面図である。
【図１０】段ボールを外側折り目で折り曲げた状態の断面図である。
【図１１】段ボールの長尺物の長手方向端面から突出した部分の斜視図である。
【図１２】段ボールの突出した部分を折り曲げて扁平な形状とした状態の斜視図である。
【図１３】段ボールの突出した部分を巻きつけた状態の斜視図である。
【図１４】梱包した状態の斜視図である。
【図１５】従来の梱包方法の説明図である。
【符号の説明】
１０…第１搬送路、１１…ロール状段ボール支持機、１２…段ボール送り機、１３…切断機、１４…折り目付け機、１５…端部折り目付け機、１６…端部プレス機、１７…第２搬送路、１８…折り曲げ機、１９…端部曲げ機、２０…端部巻取り機、３０…段ボール、３１…表面紙、３２…クッション紙、３３…内側折り目、３４…外側折り目、３５…端部折り目、３６…テープ。
【図１】
0003723956.tif 000002
【図２】
0003723956.tif 000003
【図３】
0003723956.tif 000004
【図４】
0003723956.tif 000005
【図５】
0003723956.tif 000006
【図６】
0003723956.tif 000007
【図７】
0003723956.tif 000008
【図８】
0003723956.tif 000009
【図９】
0003723956.tif 000010
【図１０】
0003723956.tif 000011
【図１１】
0003723956.tif 000012
【図１２】
0003723956.tif 000013
【図１３】
0003723956.tif 000014
【図１４】
0003723956.tif 000015
【図１５】
0003723956.tif 000016